(57)【要約】【課題】「ふっくら」感に富むティシュペーパー、及び収納箱からの取り出し性に優れたティシュペーパーを収納した物品を提供する。【解決手段】二枚重ねで一組としたティシュペーパーがポップアップ方式で折り畳まれて、ＪＩＳ　Ｓ　３１０４に規定される一つの収納箱に収納されているティシュペーパーを収納した物品であって、ティシュペーパー一枚の米坪が１０〜１３ｇ／ｍ２であり、その一枚の圧縮断面積２ｃｍ２の円形平面をもつ鋼板にて、圧縮荷重５０ｇｆ／ｃｍ２で前記ティシュペーパーを圧縮したときの厚みＴＭと圧縮荷重０．５ｇｆ／ｃｍ２で圧縮したときの厚みＴＯとの変位差（ＴＭ―ＴＯ）が０．１４５〜０．３００ｍｍであり、かつ、前記厚みＴＭが０．０９０ｍｍ以上であるものである。【選択図】なし【特許請求の範囲】
【請求項１】
二枚重ねで一組としたティシュペーパーであって、
その一枚の米坪が１０〜１３ｇ／ｍ２であり、
その一枚の圧縮断面積２ｃｍ２の円形平面をもつ鋼板にて、圧縮荷重５０ｇｆ／ｃｍ２で前記ティシュペーパーを圧縮したときの厚みＴＭと圧縮荷重０．５ｇｆ／ｃｍ２で圧縮したときの厚みＴＯとの変位差（ＴＭ―ＴＯ）が０．１４５〜０．３００ｍｍであり、
かつ、前記厚みＴＭが０．０９０ｍｍ以上であることを特徴とするティシュペーパー。
【請求項２】
ＪＩＳ　Ｐ　８１１８の規定に準じて測定した、二枚重ねでの紙厚が、９０〜１２０μｍである請求項１記載のティシュペーパー。
【請求項３】
二枚重ねで一組としたティシュペーパーがポップアップ方式で折り畳まれて、ＪＩＳ　Ｓ　３１０４に規定される一つの収納箱に収納されているティシュペーパーを収納した物品であって：
その一枚の米坪が１０〜１３ｇ／ｍ２であり、
その一枚の圧縮断面積２ｃｍ２の円形平面をもつ鋼板にて、圧縮荷重５０ｇｆ／ｃｍ２で前記ティシュペーパーを圧縮したときの厚みＴＭと圧縮荷重０．５ｇｆ／ｃｍ２で圧縮したときの厚みＴＯとの変位差（ＴＭ―ＴＯ）が０．１４５〜０．３００ｍｍであり、かつ、前記厚みＴＭが０．０９０ｍｍ以上であり；
収納箱の高さの外寸が５５．５〜６４．５ｍｍであり、かつ、（収納箱の高さの外寸）／（ティシュペーパーの全面積）で表される高さ方向密度の値が２．９０〜５．６０ｍｍ／ｍ２であることを特徴とするティシュペーパーを収納した物品。
【請求項４】
二枚重ねで一組としたティシュペーパーがポップアップ方式で折り畳まれて、ＪＩＳ　Ｓ　３１０４に規定される一つの収納箱に収納されているティシュペーパーを収納した物品であって、：
その一枚の米坪が１０〜１３ｇ／ｍ２であり、
その一枚の圧縮断面積２ｃｍ２の円形平面をもつ鋼板にて、圧縮荷重５０ｇｆ／ｃｍ２で前記ティシュペーパーを圧縮したときの厚みＴＭと圧縮荷重０．５ｇｆ／ｃｍ２で圧縮したときの厚みＴＯとの変位差（ＴＭ―ＴＯ）が０．１４５〜０．３００ｍｍであり、かつ、前記厚みＴＭが０．０９０ｍｍ以上であり；
二枚重ねでの嵩密度が０．１３ｇ／ｃｍ３未満であることを特徴とするティシュペーパーを収納した物品。
【請求項５】
二枚重ねで一組としたティシュペーパーがポップアップ方式で折り畳まれて、ＪＩＳ　Ｓ　３１０４に規定される一つの収納箱に収納されているティシュペーパーを収納した物品であって：
その一枚の米坪が１０〜１３ｇ／ｍ２であり、
その一枚の圧縮断面積２ｃｍ２の円形平面をもつ鋼板にて、圧縮荷重５０ｇｆ／ｃｍ２で前記ティシュペーパーを圧縮したときの厚みＴＭと圧縮荷重０．５ｇｆ／ｃｍ２で圧縮したときの厚みＴＯとの変位差（ＴＭ―ＴＯ）が０．１４５〜０．３００ｍｍであり、かつ、前記厚みＴＭが０．０９０ｍｍ以上であり；
（ウェブ嵩）／（ＪＩＳ紙厚×組数×２）の比率が１．５以下、かつ、（ＪＩＳ紙厚×組数×２）／（収納箱高さ）の比率が０．７０以下であることを特徴とするティシュペーパーを収納した物品。
【請求項６】
二枚重ねで一組としたティシュペーパーがポップアップ方式で折り畳まれて、ＪＩＳ　Ｓ　３１０４に規定される一つの収納箱に収納されているティシュペーパーを収納した物品であって：
その一枚の米坪が１０〜１３ｇ／ｍ２であり、
その一枚の圧縮断面積２ｃｍ２の円形平面をもつ鋼板にて、圧縮荷重５０ｇｆ／ｃｍ２で前記ティシュペーパーを圧縮したときの厚みＴＭと圧縮荷重０．５ｇｆ／ｃｍ２で圧縮したときの厚みＴＯとの変位差（ＴＭ―ＴＯ）が０．１４５〜０．３００ｍｍであり、かつ、前記厚みＴＭが０．０９０ｍｍ以上であり；
収納箱上面の長辺方向のシート長さに対する、取り出し口のスリット長の比率が７５〜８５％であり、前記シート長さに対する、収納箱上面の短辺方向のシート巾の比率が７５〜９０％であることを特徴とするティシュペーパーを収納した物品。
【請求項７】
ティシュペーパー原紙の主原料がパルプ繊維からなり、脂肪酸エステルを含む界面活性剤を有効成分（固形分）で０．１〜１０．０ｋｇ／Ｔ添加した請求項３〜６のいずれか１項に記載のティシュペーパーを収納した物品。
【発明の詳細な説明】
【０００１】
【発明の属する技術分野】
本発明は、ティシュペーパーおよびそのティシュペーパーを収納した物品に関する。
【０００２】
【従来の技術】
ティシュペーパーは、上面にスリット状の取り出し口を備えたカートンと呼ばれる収納箱に収納されて市販に供されている。一般に、ティシュペーパーは、二枚重ねで一組とした状態いわゆる２プライとされ、収納箱の上面の窓に貼着されたフィルムのスリットを通して、ティシュペーパーの一枚を取り出すと次の一枚の一部が外部に露出されて次回の取り出しが容易になされるようにしたいわゆるポップアップ方式で折り畳まれて収納箱に収納されている。
【０００３】
ところで、収納箱は、かつてはその高さが６５ｍｍのものが主流であったが、家庭で収納や持ち運びに関して不便であるとのことから、近年、収納箱のコンパクト化が図られ、現在では５０ｍｍのものが市販されている。
【０００４】
このようなカートンのコンパクト化は、ティシュペーパーの紙厚を薄くするとともに、収納時の圧縮率を高めることにより達成されてきた。これに関する提案として、特開２００１―２８６４１４号に開示のものがある。
【０００５】
【発明が解決しようとする課題】
しかしながら、収納時の圧縮率が高められたことにより、特に最初の数枚を収納箱から取り出すときにポップアップ機能が好適に働かずティシュペーパーが破断することが往々にみられるようになった。また、紙厚を過度に薄くしたことにより、使用者が鼻をかむさいなど実際にティシュペーパーを使用する際に、破れやすい等の不安感を与え、さらに手または肌触り感が十分でない。
【０００６】
一方、近年の収納箱のコンパクト化は使用者の利便性を超えて過度であるとも言えるもので、実際には、ティシュペーパーの使用者は、収納箱のコンパクト化よりも引き出し性を改善して欲しい、あるいは「ふっくら」感の要請が高いことが予見された。
【０００７】
このような問題点に鑑み、本発明の主たる課題は、「ふっくら」感に富むティシュペーパー、及び収納箱からの取り出し性に優れたティシュペーパーを収納した物品を提供することにある。
【０００８】
【課題を解決するための手段】
上記課題を解決するための本発明は、次記のとおりである。
＜請求項１項記載の発明＞
二枚重ねで一組としたティシュペーパーであって、
その一枚の米坪が１０〜１３ｇ／ｍ２であり、
その一枚の圧縮断面積２ｃｍ２の円形平面をもつ鋼板にて、圧縮荷重５０ｇｆ／ｃｍ２で前記ティシュペーパーを圧縮したときの厚みＴＭと圧縮荷重０．５ｇｆ／ｃｍ２で圧縮したときの厚みＴＯとの変位差（ＴＭ―ＴＯ）が０．１４５〜０．３００ｍｍであり、
かつ、前記厚みＴＭが０．０９０ｍｍ以上（０．０９０ｍｍ〜０．１２０ｍｍが特に望ましい）であることを特徴とするティシュペーパー。
【０００９】
＜作用効果＞
上記の規定値を持つティシュペーパーは、手に触れ、また肌に触れるとき、圧縮に伴う適度な反発力があり、さほどの厚みでないものの十分な厚み感を与え、いやゆる「ふっくら」感（ふんわりした厚み感）を持つものとなる。
【００１０】
＜請求項２項記載の発明＞
ＪＩＳ　Ｐ　８１１８の規定に準じて測定した、二枚重ねでの紙厚が、９０〜１２０μｍである請求項１記載のティシュペーパー。
【００１１】
＜作用効果＞
紙厚が十分であり、厚み感を呈する。
【００１２】
＜請求項３項記載の発明＞
二枚重ねで一組としたティシュペーパーがポップアップ方式で折り畳まれて、ＪＩＳ　Ｓ　３１０４に規定される一つの収納箱に収納されているティシュペーパーを収納した物品であって：
その一枚の米坪が１０〜１３ｇ／ｍ２であり、
その一枚の圧縮断面積２ｃｍ２の円形平面をもつ鋼板にて、圧縮荷重５０ｇｆ／ｃｍ２で前記ティシュペーパーを圧縮したときの厚みＴＭと圧縮荷重０．５ｇｆ／ｃｍ２で圧縮したときの厚みＴＯとの変位差（ＴＭ―ＴＯ）が０．１４５〜０．３００ｍｍであり、かつ、前記厚みＴＭが０．０９０ｍｍ以上であり；
収納箱の高さの外寸が５５．５〜６４．５ｍｍであり、かつ、（収納箱の高さの外寸）／（ティシュペーパーの全面積）で表される高さ方向密度の値が２．９０〜５．６０ｍｍ／ｍ２であることを特徴とするティシュペーパーを収納した物品。
【００１３】
＜作用効果＞
ポップアップ性に優れ、かつ、取り出し時の破断もなくなる。
【００１４】
＜請求項４項記載の発明＞
二枚重ねで一組としたティシュペーパーがポップアップ方式で折り畳まれて、ＪＩＳ　Ｓ　３１０４に規定される一つの収納箱に収納されているティシュペーパーを収納した物品であって、：
その一枚の米坪が１０〜１３ｇ／ｍ２であり、
その一枚の圧縮断面積２ｃｍ２の円形平面をもつ鋼板にて、圧縮荷重５０ｇｆ／ｃｍ２で前記ティシュペーパーを圧縮したときの厚みＴＭと圧縮荷重０．５ｇｆ／ｃｍ２で圧縮したときの厚みＴＯとの変位差（ＴＭ―ＴＯ）が０．１４５〜０．３００ｍｍであり、かつ、前記厚みＴＭが０．０９０ｍｍ以上であり；
二枚重ねでの嵩密度が０．１３ｇ／ｃｍ３未満（より望ましくは０．１１〜０．１３ｇ／ｃｍ３未満）であることを特徴とするティシュペーパーを収納した物品。
【００１５】
＜作用効果＞
ここに二枚重ねでの嵩密度とは、（米坪×ティシュペーパー面積×組数×２）／収納箱内容積として定義されるもので、０．１３ｇ／ｃｍ３未満であることで、ポップアップ性に優れ、かつ、取り出し時の破断もなくなる。
【００１６】
＜請求項５項記載の発明＞
二枚重ねで一組としたティシュペーパーがポップアップ方式で折り畳まれて、ＪＩＳ　Ｓ　３１０４に規定される一つの収納箱に収納されているティシュペーパーを収納した物品であって：
その一枚の米坪が１０〜１３ｇ／ｍ２であり、
その一枚の圧縮断面積２ｃｍ２の円形平面をもつ鋼板にて、圧縮荷重５０ｇｆ／ｃｍ２で前記ティシュペーパーを圧縮したときの厚みＴＭと圧縮荷重０．５ｇｆ／ｃｍ２で圧縮したときの厚みＴＯとの変位差（ＴＭ―ＴＯ）が０．１４５〜０．３００ｍｍであり、かつ、前記厚みＴＭが０．０９０ｍｍ以上であり；
（ウェブ嵩）／（ＪＩＳ紙厚×組数×２）の比率が１．５以下（より望ましくは１．３〜１．５）、かつ、（ＪＩＳ紙厚×組数×２）／（収納箱高さ）の比率が０．７０以下（より望ましくは０．５５〜０．７０）であることを特徴とするティシュペーパーを収納した物品。
【００１７】
＜作用効果＞
収納箱に紙厚の割りにウェブがコンパクトに収納され、ウェブを収納箱に入れた状態でティシュペーパーシート間に３０％以上の空間があり、ポップアップ性に優れ、かつ、取り出し時の破断もなくなる。
【００１８】
＜請求項６項記載の発明＞
二枚重ねで一組としたティシュペーパーがポップアップ方式で折り畳まれて、ＪＩＳ　Ｓ　３１０４に規定される一つの収納箱に収納されているティシュペーパーを収納した物品であって：
その一枚の米坪が１０〜１３ｇ／ｍ２であり、
その一枚の圧縮断面積２ｃｍ２の円形平面をもつ鋼板にて、圧縮荷重５０ｇｆ／ｃｍ２で前記ティシュペーパーを圧縮したときの厚みＴＭと圧縮荷重０．５ｇｆ／ｃｍ２で圧縮したときの厚みＴＯとの変位差（ＴＭ―ＴＯ）が０．１４５〜０．３００ｍｍであり、かつ、前記厚みＴＭが０．０９０ｍｍ以上であり；
収納箱上面の長辺方向のシート長さに対する、取り出し口のスリット長の比率が７５〜８５％であり、前記シート長さに対する、収納箱上面の短辺方向のシート巾の比率が７５〜９０％であることを特徴とするティシュペーパーを収納した物品。
【００１９】
＜作用効果＞
ポップアップ性に優れ、かつ、取り出し時の破断もなくなる。
【００２０】
＜請求項７項記載の発明＞
ティシュペーパー原紙の主原料がパルプ繊維からなり、脂肪酸エステルを含む界面活性剤を有効成分（固形分）で０．１〜１０．０ｋｇ／Ｔ添加した請求項３〜６のいずれか１項に記載のティシュペーパーを収納した物品。
【００２１】
＜作用効果＞
ティシュペーパーが脂肪酸エステルを含む界面活性剤を含有することで、ふっくら感が高まるとともに、滑り性が改善されて、ポップアップ性に優れ、かつ、取り出し時の破断もなくなる。
【００２２】
【発明の実施の形態】
本発明の実施の形態を図面を参照しながら以下に詳述する。
（ティシュペーパー）
本発明のティシュペーパーは、２枚重ねで一組（２プライ）のものに関する。
本発明に係るティシュペーパーは、二枚重ね一組としたものの一枚のＪＩＳ　Ｐ　８１２４に基づいて測定された米坪が１０〜１３ｇ／ｍ２、好適には１１．９〜１２．７ｇ／ｍ２である。米坪が、１０ｇ／ｍ２未満であると、抄造が困難となる。１３ｇ／ｍ２を超えると柔らかさが低下するようになり、使用感や収納箱からの引き出し性が低下する。
【００２３】
他方、本発明の二枚重ねで一組としたティシュペーパーにおいて、ティシュペーパー一枚の圧縮断面積２ｃｍ２の円形平面をもつ鋼板にて、圧縮荷重５０ｇｆ／ｃｍ２で前記ティシュペーパーを圧縮したときの厚みＴＭと圧縮荷重０．５ｇｆ／ｃｍ２で圧縮したときの厚みＴＯとの変位差（ＴＭ―ＴＯ）が０．１４５〜０．３００ｍｍであり、かつ、前記厚みＴＭが０．０９０ｍｍ以上である。
【００２４】
この厚みの変位差（ＴＭ―ＴＯ）は、カトーテック株式会社製「ハンディー圧縮試験機　ＫＥＳ−Ｇ５」を用い、鋼板で形成された水平な台座上にティシュペーパーを敷き、そのほぼ中心に圧縮面積２ｃｍ２の円形平面をもつ鋼板を当接させ、この当接した状態をゼロ点として、かかるゼロ点から前記円形平面を持つ鋼板を圧縮荷重０．５ｇｆ／ｃｍ２かつ速度１０ｍｍ／分で鉛直下方に移動させて圧縮し、押し込みが安定した状態での厚みを測定した後、圧縮荷重を５０ｇｆ／ｃｍ２かつ速度１０ｍｍ／分でさらに圧縮して押し込みが安定した状態での厚みを測定し、それらの測定値から厚みの変位差を計算する。この変位差が大きいほど、５０ｇｆ／ｃｍ２まで押し込んだ時の押し込み深さが大きく、ふんわりとした紙質であり、使用者に紙の薄さを感じさせないことを示す。
【００２５】
また、二枚重ね一組での紙厚は９０〜１２０μｍ、好適には９４〜１１２μｍとする。紙厚が薄いと、使用者が感じる紙薄感が顕著になり、また、吸水性に劣りティシュペーパーとしての機能も低下する。さらに、コスト的および技術的な観点から製造も困難である。過度の紙厚すると所定枚数を収納箱に収めて製品としたときの引き出し性に劣るようになる。
【００２６】
前記紙厚の測定は、ＪＩＳ　Ｐ　８１１８の規定に準じ、ＪＩＳ　Ｐ　８１１１の条件下で、シチズン時計株式会社製の紙厚測定機「ＭＥＩ‐１０Ｂ」を用いて測定する。具体的には、プランジャーと測定台の間にゴミ、チリ等がないことを確認してプランジャーを測定台の上におろし、ゲージのメモリを移動させてゼロ点を合わせ、次いで、プランジャーを上げて試料（ティシュペーパー）を試験台の上におき、プランジャーを下ろしそのときのゲージを読み取る。なお、測定は１０回の平均値とする。
【００２７】
その他、本発明に係るティシュペーパーは、ＪＩＳ　Ｓ　３１０４に規定される、引張り強さ、吸水度、白色度の範囲とするのが望ましい。
【００２８】
上記ティシュペーパーは、各種製造条件を選定することで得ることができる。ちなみに、たとえば圧縮特性は、原料のＬＢＫＰとＮＢＫＰの配合比率とパルプの種類（繊維粗度、あるいは原料となる樹木の種類や樹齢）、叩解度、抄紙水分、カレンダー間隙・圧力・材質、界面活性剤の添加及びその量などにより調整することが可能である。パルプは、古紙パルプを配合しないものが望ましい。
【００２９】
柔らかさ曲げ特性は、引張強度、縦横比、クレープ形状（クレープ率、クレープの高低差等）、水分率、密度、紙力剤の添加、界面活性剤の添加及びその量等により調整することが可能である。
【００３０】
表面特性は、パルプ配合、カレンダー条件、抄紙水分、ドクターの刃先角度、ブレード角度、接着・剥離強度のバランス、クレープ率、界面活性剤の添加及びその量などにより調整することが可能である。
【００３１】
（ティシュペーパーを収納した物品）
次いで、本発明にかかるティシュペーパーを収納した物品について説明する。
本発明に係るティシュペーパーは、収納箱の高さの外寸が５５．５〜６４．５ｍｍである収納箱に収めて使用するのに特に好適である。この場合、一般的な収納箱への収め方に従って、いわゆる二枚重ねで一組としたティシュペーパーがポップアップ方式で折り畳んで、収めるのが望ましい。
【００３２】
二枚重ねでの嵩密度が０．１３ｇ／ｃｍ３未満（より望ましくは０．１１〜０．１３ｇ／ｃｍ３未満）とするのが望ましい。嵩密度とは、（米坪×ティシュペーパー面積×組数×２）／収納箱内容積として定義されるものである。
【００３３】
また、（ウェブ嵩）／（ＪＩＳ紙厚×組数×２）の比率が１．５以下（より望ましくは１．３〜１．５）、かつ、（ＪＩＳ紙厚×組数×２）／（収納箱高さ）の比率が０．７０以下（より望ましくは０．５５〜０．７０）であるのが望ましい。
【００３４】
本発明において、収納箱上面の長辺方向のシート長さに対する、取り出し口のスリット長の比率が７５〜８５％であり、前記シート長さに対する、収納箱上面の短辺方向のシート巾の比率が７５〜９０％であるのが望ましい。
【００３５】
本実施の形態に係るティシュペーパーを収納した物品は、図１および２に示されるように、上記（ティシュペーパー）の欄で説明されている二枚重ねで一組としたティシュペーパーが、いわゆるポップアップ方式で折り畳まれて、所定の収納箱にＪＩＳ　Ｓ　３１０４に規定される一箱に収納される枚数、たとえば１８０組３６０枚、または場合により１８８組３８６枚が収納されているものである（以下、これをティシュペーパー製品という）。２００組４００枚のものも採用できるが、取り出し性に劣りあまり好ましいものではない。
【００３６】
ポップアップ方式での折り畳みについては、既知の技術であるので詳述はしない。
【００３７】
一方、かかるティシュペーパー製品は、収納箱の高さの外寸を５５．５〜６４．５ｍｍとしており、かつて主流であった持ち運び性や収納性に欠けるの６５ｍｍよりは低く、現在主流の取り出し性や紙薄感が低下している５０ｍｍより高くなっている。かかる高さ範囲とすることにより、持ち運び性や収納性を犠牲にせず、紙薄感や取り出し性を向上させることができる。
【００３８】
ここで、本実施の形態にかかるティシュペーパー製品においては、収納箱の高さの外寸を上記のようにした場合に、好適にティシュペーパーが取り出せるように、取り出し口の形状が工夫されている。すなわち、収納箱１の上面に形成された窓１Ａを開口部となるスリット２Ａを有するシート２が内側から覆っており、内部のティシュペーパーを順次前記スリット２Ａを通して取り出すようにされている。ここに窓１Ａは、箱１の上面にミシン目などの切りこみ目が予め形成され、その切りこみ目で囲まれる部分を剥ぎ取ることにより、形成される公知の構成のものでよい。
【００３９】
シート２は、窓１Ａのサイズより大きく、例えば図示のように方形とし、箱の上面に内側より接着剤により接着する。また、本実施の形態では、シート２として、ポリエチレンフィルムシートを用いているが、これに代えて、坪量が１０〜３５ｇ／ｍ２であり、合成繊維または化学繊維を混抄した合成紙、あるいは不織布からなるシートを用いることもできる。合成繊維または化学繊維としては、レーヨン、アセテート、ビニルアセテートが好適であり、さらにリサイクル化をある程度無視すれば、ポリエチレン、ポリプロピレン、ポリエステルなども使用可能である。他方、不織布としては、形態の面からはエアースルー不織布、ポイントボンド不織布、メルトブロー不織布、スパンボンド不織布などを用いることができる。材質的には、ポリエチレン、ポリプロピレン、ポリエステル、パルプなどを例示できる。坪量は、１０ｇ／ｍ２未満では、強度的に不足し、ティシュペーパー３の取り出し時において裂けあるいは破断の確率が高くなる。逆に、３５ｇ／ｍ２を超えると、強度の問題はないものの、コスト高となるばかりでなく、取り出し時のノイズが大きくなる傾向にある。
【００４０】
シート２にはスリット２Ａが形成されているが、このスリット２Ａは、シート２を箱１の上面内側へ接着した状態において、窓１Ａの幅方向中央部に（箱１の長手方向（ティシュペーパー３の横方向）と沿うように形成されている。スリット２Ａの長さは、図１の（ａ）に示すように、窓１Ａの長手方向全長より短くすることが望ましいが、図１の（ｂ）に示すように、窓１Ａの長手方向全長と同じ長さにすることも、さらに、図１の（ｃ）に示すように、シート２の横方向長さより短い条件の下で、窓１Ａの長手方向全長より長くすることもできる。
【００４１】
スリットは通常は図１の（ａ）の形態で形成され、そのスリット長さは、１７５ｍｍ〜１８５ｍｍが望ましい。前記スリット２Ａの長さＬは、ティシュペーパーの特徴を考慮して破断を防止する観点から、前述のように、収納箱上面の長辺方向のシート長さに対する比率が７５〜８５％であり、特に７６〜８５％とするのが望ましい。
【００４２】
一方、本実施の形態にかかるティシュペーパー製品は、（収納箱の高さの外寸）／（ティシュペーパーの全面積）で表される高さ方向密度の値が２．９０〜５．６０ｍｍ／ｍ２である、好適には３．４０〜４．００ｍｍ／ｍ２である。このように、高さ方向密度の値を上記の値とすることにより、取り出し性に優れるようになる。
【００４３】
ここで、本発明にいうティシュペーパーの大きさとは、ＪＩＳ　Ｓ　３１０４にいうティシュペーパーの一枚の大きさ（ティシュペーパーの（縦）×（横）で表される面積）と同義であるが、数値はＪＩＳ　Ｓ　３１０４に規定される範囲に限定されるものではない。もちろん、ＪＩＳ　Ｓ　３１０４に規定される紙の一枚の大きさの範囲内であってもよく、この範囲であるのが望ましい。特に好適な大きさは、４５０ｃｍ２でかつ縦が１９７ｍｍ前後、横が２２９ｍｍ前後である。
【００４４】
なお、本発明は、ティシュペーパーの大きさが任意であるから、収納箱の高さ以外の大きさすなわち、長さと幅についても任意となるが、一般的な市販形態や収納性や持ち運び性を考慮すれば、収納箱の好適な長さは２４０±２５ｍｍ、幅は１１５±２５ｍｍである。
【００４５】
ここで、ティシュペーパーの引き出し性について詳述すると、図２に示すように、ティシュペーパー３を収納箱１から取り出すに際しては、ティシュペーパー３の側縁近傍の中央部における摘み部３Ｔを持って引き上げる。このとき、ティシュペーパーの横方向端部が、引き上げに伴って徐々にスリット２Ａの両端２ａ，２ｂに集まる。集まったティシュペーパー３が、スリット２Ａの両端２ａ，２ｂに引っ掛かりながら引き上げ動作がなされるため、いま引き上げ動作を行なっているティシュペーパーに対して、摘み部３Ｔとスリット２Ａの両端２ａ，２ｂとを結ぶ部分に集中的に引張力Ｆ，Ｆが働く。特に取り出し動作の後半段階では、折り重ねによって後続のティシュペーパーも引き上げるための力も必要となり、その分の引張力が加算される。ティシュペーパーに作用する引張力Ｆについて、補足説明すると、取り出し時の前半では、Ｘ（ティシュペーパーの横方向端部をスリット２Ａの両端２ａ，２ｂに集める力：後続のティシュペーパーとの摩擦力に抗して分離するための力も含まれる）＋Ｙ（ティシュペーパー３とスリット２Ａの両端２ａ，２ｂとの摩擦力に抗して引き上げる力）であり、後半では、ほぼＸ＋Ｙに対して、Ｚ（折り重ねによって後続のティシュペーパーも引き上げるための力）も加算される。ティシュペーパーにおいては、この摘み部３Ｔとスリット２Ａの両端２ａ，２ｂとを結ぶ引張力Ｆは、ティシュペーパー３の引き出し方向への破断力として作用する。従って、従来製品では、紙が薄くまた収納時の圧縮率が高かったため、引き出し時に破断が生じ易かったが、本発明にかかるティシュペーパー製品では、ティシュペーパー３が破断は生ずることがない。
【００４６】
（ティシュペーパーおよびティシュペーパーを収納した物品の製造方法）
本実施の形態に係るティシュペーパーおよびティシュペーパー製品は既知の設備および常法により製造することができる。すなわち、原料パルプを抄紙機で抄紙するとともにクレープ処理し、カレンダー処理を施し、インターホルダーにてポップアップ方式に折り畳み、所定の大きさに裁断して収納箱に収納して製造することができる。
【００４７】
各処理について詳述すれば、抄紙工程では本発明の米坪の範囲となるように原料パルプおよび抄紙条件を調整する。このとき原料パルプの叩解幅を狭めて高密度化する。このように米坪を規定して高密度化すると、紙力は高まるが紙厚および柔らかさの低下の原因となる。
【００４８】
そこで、クレープ処理工程では、柔らかさおよび肉厚感の指標となる厚みの変位差が本発明の範囲となるように、クレープ率を高めに設定してクレープ処理する。クレープ率を高めるには、クレープの刃先角度を調整することで達成できる。
【００４９】
【数１】
2004065290.tif 000002
【００５０】
また、カレンダー処理工程では、紙厚が過度に低下して本発明の紙厚の範囲から外れないようにオンライマシンカレンダーおよびプライマシンカレンダーの各カレンダー処理における圧力を調整してカレンダー処理する。プライマシンカレンダー処理により、抄紙原紙は二枚重ね一組にされる。
【００５１】
このようにしてティシュペーパー原紙を製造する。そしてこのティシュペーパー原紙をインターホルダーにて後にポップアップ方式となるように交互に折り重ねる。このとき、収納箱の大きさ特に高さおよび裁断後のティシュペーパーの大きさを考慮してインターホルダーのプルコンベア圧力を調整する。その後、所定の大きさに裁断して、収納箱に収納して本発明のティシュペーパー製品が製造される。
【００５２】
なお、前記原料パルプとしては、好ましくは１００％木材パルプからなるものである。この場合、ＮＢＫＰ：ＬＢＫＰの割合としては、１０：９０〜７０：３０、好適には５０：５０〜９３：７、特に好適には、６５：３５〜６９：３１である。ＮＢＫＰの割合が高いほど、柔軟性を得ることができるので好ましい。
【００５３】
【実施例】
市販の製品、約１年前までは市販されていた旧製品と本発明に係る製品とに関し、各物性を調査した。その結果を表１及び表２に示す。
【００５４】
【表１】
2004065290.tif 000003
【表２】
2004065290.tif 000004
【００５５】
ここで、実使用評価及び官能評価は、成人３０名に対し、「取り出し易さ」「肌触りの良さ」「ふんわりした厚み感」「拭き取りの丈夫さ」「コンパクト性」の各項目について、最も良いもの：５点、良いもの：４点、普通：３点、悪いもの：２点、最も悪いもの：１点の５段評価を行い、その平均点が４．０以上を◎、３．０〜４．０未満を○、２．０〜３．０未満を△、１．０〜２．０未満×としてあらわしたものである。
【００５６】
＜考察＞
本発明の実施例に係る製品は、市販品及び旧製品との比較において、いずれの官能評価項目においても十分な評価がなされていることからして、本発明の実施例に係る製品の区別化は明確である。そして、市販品及び旧製品に比較して、優れた特性を示すものとなる。特に、ふんわりした厚み感（「ふっくら」感）において、顕著な官能評価が得られ、市場における評価が高いものとなることが予測された。
【００５７】
【発明の効果】
以上、詳述のとおり、本発明によれば、「ふっくら」感に富むティシュペーパー、及び収納箱からの取り出し性に優れたティシュペーパーを収納した物品を提供することができる。
【図面の簡単な説明】
【図１】収納箱の開口部を示す正面図である。
【図２】ティシュペーパーの取り出しを説明するための斜視図である。
【符号の説明】
１…収納箱、１Ａ…窓、２…シート、２Ａ…スリット、３…ティシュペーパー、Ｌ…スリットの有効長さ、Ｔ…ティシュペーパー原紙。
【図１】
2004065290.tif 000005
【図２】
2004065290.tif 000006